(57)【要約】【課題】コースト走行シーンにおいて、ドライバのシフトダウン要求操作に対する減速度のコントロール性の向上を図ること。【解決手段】バリエータ（４）と変速コントローラ（８００）を備える。変速コントローラ（８００）は、マニュアル変速モードを選択すると、予め設定された複数の固定変速比ではなく、ドライバによるシフト要求操作に基づいて、シフト要求操作時のバリエータの入力回転数に対し所定の回転段差を有する目標入力回転数に、バリエータの変速比を変速させる変速比制御を行うフレキシブルマニュアル変速制御部（８０３）を有する。フレキシブルマニュアル変速制御部（８０３）は、コースト走行中にドライバによるシフトダウン要求操作がある場合、１回目のシフトダウン要求操作によるダウンシフトで上昇させる入力回転数の回転段差ΔＮCD_1を、２回目以降のシフトダウン要求操作による回転段差ΔＮCD_2、ΔＮCD_3、…より大きく設定する。【選択図】図２
2020148311.tif 000002
【特許請求の範囲】
【請求項１】
走行用駆動源から駆動輪までの駆動系にバリエータを搭載し、前記バリエータの変速比を制御する変速コントローラを備える無段変速機の変速制御装置において、
前記変速コントローラは、マニュアル変速モードを選択すると、予め設定された複数の固定変速比ではなく、ドライバによるシフト要求操作に基づいて、前記シフト要求操作時の前記バリエータの入力回転数に対し所定の回転段差を有する目標入力回転数に、前記バリエータの変速比を変速させる変速比制御を行うフレキシブルマニュアル変速制御部を有し、
前記フレキシブルマニュアル変速制御部は、コースト走行中にドライバによるシフトダウン要求操作がある場合、１回目のシフトダウン要求操作によるダウンシフトで上昇させる前記入力回転数の回転段差を、２回目以降のシフトダウン要求操作による回転段差より大きく設定する
ことを特徴とする無段変速機の変速制御装置。
【請求項２】
請求項１に記載された無段変速機の変速制御装置において、
前記走行用駆動源にエンジンを有し、
前記フレキシブルマニュアル変速制御部は、前記１回目のシフトダウン要求操作によるダウンシフトで上昇させる入力回転数の回転段差を、ドライバのエンジンブレーキ要求に基づき、車両減速へ向かうエンジンブレーキを与えるダウンシフト量の値に設定する
ことを特徴とする無段変速機の変速制御装置。
【請求項３】
請求項２に記載された無段変速機の変速制御装置において、
前記フレキシブルマニュアル変速制御部は、前記２回目以降のシフトダウン要求操作によるダウンシフトで上昇させる入力回転数の回転段差を、ドライバのシフトダウン操作感要求に基づき、エンジンブレーキを微調整するダウンシフト量の値に設定する
ことを特徴とする無段変速機の変速制御装置。
【請求項４】
請求項１から３までの何れか一項に記載された無段変速機の変速制御装置において、
前記フレキシブルマニュアル変速制御部は、無段変速モードの選択によるコースト走行シーンにおいて、前記無段変速モードから前記マニュアル変速モードへのドライバによるセレクト操作があると、前記セレクト操作を前記１回目のシフトダウン要求操作とみなす
ことを特徴とする無段変速機の変速制御装置。
【請求項５】
請求項１から４までの何れか一項に記載された無段変速機の変速制御装置において、
前記フレキシブルマニュアル変速制御部は、前記マニュアル変速モードの選択によるコースト走行シーンにおいて、コースト走行開始からドライバによる最初のシフトダウン操作があると、前記最初のシフトダウン操作を前記１回目のシフトダウン要求操作とみなす
ことを特徴とする無段変速機の変速制御装置。
【請求項６】
請求項１から５までの何れか一項に記載された無段変速機の変速制御装置において、
前記フレキシブルマニュアル変速制御部は、前記ドライバによるシフトダウン要求操作に基づくダウンシフトが終了すると、ダウンシフト終了時点における運転点のマップ位置で決まる変速比を維持する
ことを特徴とする無段変速機の変速制御装置。
【発明の詳細な説明】
【技術分野】
【０００１】
本発明は、車両の駆動系に適用され、変速比が無段階に制御される無段変速機の変速制御装置に関する。
【背景技術】
【０００２】
従来、入力軸の動力を無段階に変速して出力軸に伝達可能な無段変速機が搭載された車両に用いられ、前記無段変速機を制御する制御装置であって、
シフト操作によらずに変速比を変更する自動変速モードと選択的に切り替えられる手動変速モードにおいて、シフト操作に応答して、段階的に設定された複数の固定変速比間で変速比を変更する手動変速手段と、
前記手動変速モードにおいて、前記入力軸の最低回転数を設定し、前記入力軸の回転数が前記最低回転数を下回らないように変速比を変更する回転数ガード手段と、
前記車両を加速させる加速要求が入力されたか否か判定する判定手段と、
前記加速要求が入力された場合、前記最低回転数を引き上げる補正を行う補正手段とを含む技術が開示されている（例えば、特許文献１参照）。
【先行技術文献】
【特許文献】
【０００３】
【特許文献１】特開２０１６−１０２５６６号公報
【発明の概要】
【発明が解決しようとする課題】
【０００４】
先行技術にあっては、マニュアル変速モードの選択中のコースト走行において、ドライバによるシフトダウン操作があると、予め設定されている固定変速比線に基づいてダウンシフトが実行される。このため、１回目のシフトダウン操作に対するダウンシフトで所望の減速感が得られないと、ドライバは所望の減速感が得られるまでシフトダウン操作を何度も繰り返して行う必要がある。また、シフトダウン操作により所望する減速感より少し減速感が不足するとき、次のシフトダウン操作を行うと減速過剰になってしまうことがある。このように、コースト走行シーンにおいて、ドライバのシフトダウン操作に対する減速度のコントロール性が低い、という課題があった。
【０００５】
本発明は、上記課題に着目してなされたもので、コースト走行シーンにおいて、ドライバのシフトダウン要求操作に対する減速度のコントロール性の向上を図ることを目的とする。
【課題を解決するための手段】
【０００６】
上記目的を達成するため、本発明の無段変速機の変速制御装置は、走行用駆動源から駆動輪までの駆動系にバリエータを搭載し、バリエータの変速比を制御する変速コントローラを備える。
変速コントローラは、マニュアル変速モードを選択すると、予め設定された複数の固定変速比ではなく、ドライバによるシフト要求操作に基づいて、シフト要求操作時のバリエータの入力回転数に対し所定の回転段差を有する目標入力回転数に、バリエータの変速比を変速させる変速比制御を行うフレキシブルマニュアル変速制御部を有する。
フレキシブルマニュアル変速制御部は、コースト走行中にドライバによるシフトダウン要求操作がある場合、１回目のシフトダウン要求操作によるダウンシフトで上昇させる入力回転数の回転段差を、２回目以降のシフトダウン要求操作による回転段差より大きく設定する。
【発明の効果】
【０００７】
即ち、フレキシブルマニュアル変速制御部では、マニュアル変速モードのときに固定変速比に拘束されることなく、ダウンシフトで上昇させる入力回転数の回転段差を柔軟に設定できる。この柔軟性を活用し、コースト走行中にドライバによるシフトダウン要求操作に対する回転段差を、１回目のシフトダウン要求操作時と２回目以降とで異ならせて設定している。このため、コースト走行シーンにおいて、ドライバのシフトダウン要求操作に対する減速度のコントロール性の向上を図ることができる。
【図面の簡単な説明】
【０００８】
【図１】実施例１の変速制御装置が適用されたベルト式無段変速機を搭載するエンジン車の駆動系と制御系を示す全体システム図である。
【図２】エンジン車に適用されたベルト式無段変速機の変速制御装置を示すシステム概要図である。
【図３】Ｄレンジでの無段変速モード選択時に無段変速制御部にて用いられるＤレンジ無段変速マップの一例を示す変速マップ図である。
【図４】マニュアル変速モード選択時にフレキシブルマニュアル変速制御部にて用いられるマニュアル変速マップの一例を示す変速マップ図である。
【図５】変速コントローラのフレキシブルマニュアル変速制御部においてコースト走行状態でドライバのシフトダウン要求操作があるときに実行されるフレキシブルマニュアル変速制御処理の流れを示すフローチャートである。
【図６】背景技術におけるマニュアル変速モード選択時に用いられるＤレンジマニュアル有段変速マップの一例を示す変速マップ図である。
【図７】背景技術においてマニュアル変速モードでのコースト減速走行中にドライバがエンブレ減速を狙ってシフトダウン操作を行ったときの減速ダウンシフトにおける課題を示す課題説明図である。
【図８】実施例１において無段変速モードでのコースト走行中にマニュアル変速モードへのセレクト操作と２回のシフトダウン操作を行ったときの減速ダウンシフト作用を示すタイムチャートである。
【図９】実施例１において無段変速モードでのコースト走行中にマニュアル変速モードへのセレクト操作と２回のシフトダウン操作を行ったときの減速ダウンシフトでの運転点の動きを示す作用説明図である。
【発明を実施するための形態】
【０００９】
以下、本発明の無段変速機の変速制御装置を実施するための形態を、図面に示す実施例１に基づいて説明する。
【実施例１】
【００１０】
実施例１における無段変速機の変速制御装置は、トルクコンバータと前後進切替機構とバリエータと終減速機構により構成されるベルト式無段変速機を搭載したエンジン車に適用したものである。以下、実施例１の構成を、「全体システム構成」、「変速制御装置のシステム構成」、「フレキシブルマニュアル変速制御処理構成」に分けて説明する。
【００１１】
［全体システム構成］
図１は、実施例１の変速制御装置が適用されたエンジン車の駆動系と制御系を示す。以下、図１に基づいて全体システム構成を説明する。
【００１２】
エンジン車の駆動系は、図１に示すように、エンジン１と、トルクコンバータ２と、前後進切替機構３と、バリエータ４と、終減速機構５と、駆動輪６，６と、を備えている。ここで、ベルト式無段変速機ＣＶＴは、トルクコンバータ２と前後進切替機構３とバリエータ４と終減速機構５を図外の変速機ケースに内蔵することにより構成される。
【００１３】
エンジン１は、ドライバのアクセル操作による出力トルクの制御（通常制御）以外に、外部からのエンジン制御信号により出力トルクを制御可能である。このエンジン１には、変速機との協調制御によりトルクダウン制御を行う出力トルク制御アクチュエータ１０を有する。なお、トルクダウン制御では、エンジン１の点火時期リタード制御やスロットルバルブ閉制御などによりエンジントルクが上限トルクを上回らないように制限する。
【００１４】
トルクコンバータ２は、トルク増幅機能やトルク変動吸収機能を有する流体継手による発進要素である。トルク増幅機能やトルク変動吸収機能を必要としないとき、エンジン出力軸１１（＝トルクコンバータ入力軸）とトルクコンバータ出力軸２１を直結可能なロックアップクラッチ２０を有する。このトルクコンバータ２は、ポンプインペラ２３と、タービンランナ２４と、ケースにワンウェイクラッチ２５を介して設けられたステータ２６と、を構成要素とする。
【００１５】
前後進切替機構３は、バリエータ４への入力回転方向を前進走行時の正転方向と後退走行時の逆転方向で切り替える機構である。この前後進切替機構３は、ダブルピニオン式遊星歯車３０と、前進クラッチ３１と、後退ブレーキ３２と、を有する。前進クラッチ３１は、Ｄレンジなどの前進走行レンジ選択時に前進クラッチ圧Pfcにより油圧締結される。後退ブレーキ３２は、Ｒレンジなどの後退走行レンジ選択時に後退ブレーキ圧Prbにより油圧締結される。なお、前進クラッチ３１と後退ブレーキ３２は、Ｎレンジ（ニュートラルレンジ）の選択時、前進クラッチ圧Pfcと後退ブレーキ圧Prbをドレーンすることで、いずれも解放される。
【００１６】
バリエータ４は、プライマリプーリ４２と、セカンダリプーリ４３と、プーリベルト４４と、を有し、ベルト接触径の変化により変速比（バリエータ入力回転とバリエータ出力回転の比）を無段階に変化させる無段変速機構である。
【００１７】
プライマリプーリ４２は、バリエータ入力軸４０の同軸上に配された固定プーリ４２ａとスライドプーリ４２ｂにより構成され、スライドプーリ４２ｂは、プライマリ圧室４５に導かれるプライマリ圧Ppriによりスライド動作する。
【００１８】
セカンダリプーリ４３は、バリエータ出力軸４１の同軸上に配された固定プーリ４３ａとスライドプーリ４３ｂにより構成され、スライドプーリ４３ｂは、セカンダリ圧室４６に導かれるセカンダリ圧Psecによりスライド動作する。
【００１９】
プーリベルト４４は、プライマリプーリ４２のＶ字形状をなすシーブ面と、セカンダリプーリ４３のＶ字形状をなすシーブ面に掛け渡されている。このプーリベルト４４は、環状リングを内から外へ多数重ね合わせた２組の積層リングと、打ち抜き板材により形成され、２組の積層リングに沿って挟み込みにより環状に積層して取り付けられた多数のエレメントにより構成されている。なお、プーリベルト４４としては、プーリ進行方向に多数配列したチェーンエレメントを、プーリ軸方向に貫通するピンにより結合したチェーンタイプのベルトであっても良い。
【００２０】
終減速機構５は、バリエータ出力軸４１からのバリエータ出力回転を減速すると共に差動機能を与えて左右の駆動輪６，６に伝達する機構である。この終減速機構５は、減速ギア機構として、バリエータ出力軸４１に設けられたアウトプットギア５２と、アイドラ軸５０に設けられたアイドラギア５３及びリダクションギア５４と、デフケースの外周位置に設けられたファイナルギア５５と、を有する。そして、差動ギア機構として、左右のドライブ軸５１，５１に介装されたディファレンシャルギア５６を有する。
【００２１】
エンジン車の制御系は、図１に示すように、油圧制御系である油圧制御ユニット７と、電子制御系であるＣＶＴコントロールユニット８と、エンジンコントロールユニット９とを備えている。なお、ＣＶＴコントロールユニット８とエンジンコントロールユニット９は、CAN通信線１３により情報交換可能に接続されている。
【００２２】
油圧制御ユニット７は、プライマリ圧室４５に導かれるプライマリ圧Ppri、セカンダリ圧室４６に導かれるセカンダリ圧Psec、前進クラッチ３１への前進クラッチ圧Pfc、後退ブレーキ３２への後退ブレーキ圧Prb、などを調圧するユニットである。この油圧制御ユニット７は、エンジン１により回転駆動されるメカオイルポンプと電動モータにより回転駆動される電動オイルポンプとの少なくとも一方による油圧源７０と、油圧源７０からの吐出圧に基づいて各種の制御圧を調圧する油圧制御回路７１と、を備える。
【００２３】
油圧制御回路７１には、ライン圧ソレノイド弁７２と、プライマリ圧ソレノイド弁７３と、セカンダリ圧ソレノイド弁７４と、セレクトソレノイド弁７５と、ロックアップ圧ソレノイド弁７６と、を有する。なお、各ソレノイド弁７２，７３，７４，７５，７６は、ＣＶＴコントロールユニット８から出力されるソレノイド指令値によって各指令圧に調圧する。
【００２４】
ライン圧ソレノイド弁７２は、ＣＶＴコントロールユニット８から出力されるライン圧指令値に応じ、油圧源７０からの吐出圧を、指令されたライン圧PLに調圧する。このライン圧PLは、各種の制御圧を調圧する際の元圧であり、駆動系を伝達するトルクに対してベルト滑りやクラッチ滑りを抑える油圧とされる。他のソレノイド弁７３，７４，７５，７６は、ライン圧PLを元圧として指令された油圧に減圧調整する。
【００２５】
ＣＶＴコントロールユニット８は、ライン圧制御や変速制御や前後進切替制御やロックアップ制御などを行う。ライン圧制御では、アクセル開度APOなどに応じた目標ライン圧を得る指令値をライン圧ソレノイド弁７２に出力する。変速制御では、目標変速比（目標プライマリ回転Npri*）を決めると、決めた目標変速比（目標プライマリ回転Npri*）を得る指令値をプライマリ圧ソレノイド弁７３及びセカンダリ圧ソレノイド弁７４に出力する。前後進切替制御では、選択されているレンジ位置に応じて前進クラッチ３１と後退ブレーキ３２の締結/解放を制御する指令値をセレクトソレノイド弁７５に出力する。ロックアップ制御では、ロックアップクラッチ２０を締結/スリップ締結/解放するロックアップ制御圧PL/Uを制御する指令値をロックアップ圧ソレノイド弁７６に出力する。
【００２６】
ＣＶＴコントロールユニット８には、プライマリ回転センサ８０、車速センサ８１、セカンダリ回転センサ８２、油温センサ８３、インヒビタスイッチ８４、ブレーキスイッチ８５、タービン回転センサ８６からの情報が入力される。さらに、変速モード選択スイッチ８７、シフト操作スイッチ８８などからの情報が入力される。エンジンコントロールユニット９には、アクセル開度センサ９０、エンジン回転センサ９１などからの情報が入力される。
【００２７】
［変速制御装置のシステム構成］
図２は、エンジン車に適用されたベルト式無段変速機ＣＶＴの変速制御装置を示す。以下、図２〜図４に基づいて変速制御装置のシステム構成を説明する。
【００２８】
エンジン車の駆動系は、図３に示すように、エンジン１（走行用駆動源）と、ベルト式無段変速機ＣＶＴ（トルクコンバータ２、前後進切替機構３、バリエータ４、終減速機構５）と、駆動輪６と、を備えている。
【００２９】
ベルト式無段変速機ＣＶＴのトルクコンバータ２は、締結によりエンジン出力軸１１（＝トルクコンバータ入力軸）とトルクコンバータ出力軸２１を直結するロックアップクラッチ２０を有する。前後進切替機構３は、前進走行レンジ（Ｄレンジ、Ｌレンジなど）の選択により締結される前進クラッチ３１と、後退走行レンジ（Ｒレンジ）の選択により締結される後退ブレーキ３２と、を並列に有する。バリエータ４（無段変速機構）は、プライマリプーリ４２と、セカンダリプーリ４３と、両プーリ４２，４３に掛け渡されるプーリベルト４４と、を有する。
【００３０】
変速制御装置の油圧制御系は、図２に示すように、油圧源７０と、油圧制御回路７１と、プライマリ圧ソレノイド弁７３と、セカンダリ圧ソレノイド弁７４と、を備えている。
【００３１】
プライマリ圧ソレノイド弁７３は、変速油圧制御時、油圧制御回路７１において、油圧源７０からの吐出圧に基づいて調圧されたライン圧を元圧とし、ＣＶＴコントロールユニット８からのプライマリ圧制御指令によりプライマリ圧Ppriを調圧する。そして、調圧されたプライマリ圧Ppriは、バリエータ４に有するプライマリプーリ４２のプライマリ圧室４５に導かれる。
【００３２】
セカンダリ圧ソレノイド弁７４は、変速油圧制御時、油圧制御回路７１において、油圧源７０からの吐出圧に基づいて調圧されたライン圧を元圧とし、ＣＶＴコントロールユニット８からのセカンダリ圧制御指令によりセカンダリ圧Psecを調圧する。そして、調圧されたセカンダリ圧Psecは、バリエータ４に有するセカンダリプーリ４３のセカンダリ圧室４６に導かれる。
【００３３】
変速制御装置の電子制御系は、図２に示すように、ＣＶＴコントロールユニット８を備え、ＣＶＴコントロールユニット８には、プライマリ回転センサ８０、車速センサ８１、インヒビタスイッチ８４、変速モード選択スイッチ８７、シフト操作スイッチ８８、アクセル開度センサ９０などからの情報が入力される。
【００３４】
ここで、プライマリ回転センサ８０は、プライマリプーリ４２のプライマリ回転数Npriを検出する。車速センサ８１は、車速VSPを検出する。インヒビタスイッチ８４は、ドライバが選択しているレンジ位置（Ｒレンジ、Ｎレンジ、Ｐレンジ、Ｄレンジ、Ｌレンジなど）を検出する。アクセル開度センサ９０は、アクセル開度APO（ドライバによるアクセル操作量）を検出し、CAN通信線１３を介してＣＶＴコントロールユニット８へアクセル開度APOの情報を供給する。
【００３５】
変速モード選択スイッチ８７は、ドライバ操作により「無段変速モード」と「マニュアル変速モード」との何れかの変速モードを選択するスイッチであり、無段変速モード選択信号とマニュアル変速モード選択信号を出力する。
【００３６】
シフト操作スイッチ８８は、「マニュアル変速モード」を選択している場合、シフトアップを意図するドライバ操作によりシフトアップ要求信号を出力し、シフトダウンを意図するドライバ操作によりシフトダウン要求信号を出力する。なお、ドライバ操作とは、例えば、アップシフト/ダウンシフトの操作レバーに対するレバー操作、或いは、アップシフト/ダウンシフトの操作ボタンに対するボタン操作、或いは、アップシフト/ダウンシフトのシーソースイッチに対するスイッチ操作などをいう。
【００３７】
ＣＶＴコントロールユニット８は、図２に示すように、ベルト式無段変速機ＣＶＴのバリエータ４による変速制御機能を分担する変速コントローラ８００を備える。変速コントローラ８００は、変速モード選択部８０１と、無段変速制御部８０２と、フレキシブルマニュアル変速制御部８０３と、ソレノイド指令出力部８０４と、を有する。
【００３８】
変速モード選択部８０１は、インヒビタスイッチ８４と変速モード選択スイッチ８７からのスイッチ信号を入力する。そして、Ｄレンジであって、かつ、「無段変速モード」であるとき、無段変速制御部８０２による無段変速制御処理を選択する。一方、Ｄレンジであって、かつ、「マニュアル変速モード」であるとき、フレキシブルマニュアル変速制御部８０３によるマニュアル変速制御処理を選択する。
【００３９】
無段変速制御部８０２は、「無段変速モード」の選択時、図３に示すＤレンジ無段変速マップＭ１を用い、運転点（VSP,APO）のマップ位置に基づいて無段階に変速比を変更する無段変速制御処理を実行する。無段変速制御部８０２からソレノイド指令出力部８０４へは、無段変速制御処理結果として目標プライマリ回転数Npri(C)*を出力する。
【００４０】
フレキシブルマニュアル変速制御部８０３は、「マニュアル変速モード」の選択時、図４に示すマニュアル変速マップＭ２を用い、運転点（VSP,APO）のマップ位置とドライバによるシフト要求操作とに基づいてマニュアル変速制御処理を実行する。フレキシブルマニュアル変速制御部８０３からソレノイド指令出力部８０４へは、マニュアル変速制御処理結果として目標プライマリ回転数Npri(M)*を出力する。ここで、“フレキシブルマニュアル変速制御部８０３”としたのは、マニュアル変速マップＭ２が固定変速比線を有さず、運転状況に応じて無数の固定変速比線を引くことができる柔軟性が高い制御則によるマニュアル変速制御部であることによる。
【００４１】
ソレノイド指令出力部８０４は、「無段変速モード」の選択時、無段変速制御部８０２から目標プライマリ回転数Npri(C)*を入力する。そして、実プライマリ回転数Npriを目標プライマリ回転数Npri(C)*へ収束させるプライマリ圧制御指令とセカンダリ圧制御指令を演算する。一方、「マニュアル変速モード」の選択時、フレキシブルマニュアル変速制御部８０３から目標プライマリ回転数Npri(M)*を入力する。そして、実プライマリ回転数Npriを目標プライマリ回転数Npri(M)*へ収束させるプライマリ圧制御指令とセカンダリ圧制御指令を演算する。演算されたプライマリ圧制御指令はプライマリ圧ソレノイド弁７３へ出力し、セカンダリ圧制御指令はセカンダリ圧ソレノイド弁７４へ出力する。
【００４２】
次に、無段変速制御部８０２の詳細を説明する。図３は、Ｄレンジでの無段変速モード選択時に無段変速制御部にて用いられるＤレンジ無段変速マップＭ１の一例を示す。Ｄレンジ無段変速マップＭ１は、縦軸を目標プライマリ回転数Npri*とし横軸を車速VSPとする二次元座標面に、最ロー変速比線と最ハイ変速比線とコースト変速比線が書き込まれた変速マップである。なお、前進走行中であって、トルクコンバータ２のロックアップクラッチ２０と前後進切替機構３の前進クラッチ３１が締結状態であるときは、バリエータ４への入力回転数であるプライマリ回転数Npriはそのままエンジン回転数Neになる。
【００４３】
Ｄレンジ無段変速マップＭ１を用いる無段変速制御は、最ロー変速比線と最ハイ変速比線とコースト変速比線とで囲まれるハッチング領域内で、運転点（VSP,APO）の位置に応じて目標プライマリ回転数Npri*を決めることで実行される。なお、変速比は、Ｄレンジ無段変速マップＭ１の最ロー変速比線や最ハイ変速比線から明らかなように、ゼロ運転点から引かれる固定変速比線（＝等変速比線）の傾きであらわされる。なお、運転点（VSP,APO）の位置により目標プライマリ回転数Npri*を決めることは、セカンダリ回転数Nsec（＝車速VSP）との関係からバリエータ４の目標変速比を決めることに等しい。
【００４４】
例えば、車速VSPが一定のとき、アクセル踏み込み操作を行うとアクセル開度APOの上昇により目標プライマリ回転数Npri*が上昇してダウンシフト方向に変速する。例えば、車速VSPが一定のとき、アクセル踏み戻し操作を行うとアクセル開度APOの低下により目標プライマリ回転数Npri*が低下してアップシフト方向に変速する。例えば、アクセル開度APOが一定のとき、車速VSPが上昇すると最ハイ変速比線に向かいアップシフト方向に変速し、車速VSPが低下すると最ロー変速比線に向かいダウンシフト方向に変速する。
【００４５】
次に、フレキシブルマニュアル変速制御部８０３の詳細を説明する。図４は、マニュアル変速モード選択時にフレキシブルマニュアル変速制御部８０３にて用いられるマニュアル変速マップＭ２の一例を示す。マニュアル変速マップＭ２は、縦軸を目標プライマリ回転数Npri*とし横軸を車速VSPとする二次元座標面に、最ロー変速比線と最ハイ変速比線と最低回転数線とアップシフト上限回転数線とダウンシフト上限回転数線が書き込まれた変速マップである。即ち、マニュアル変速マップであるにもかかわらず固定変速比線を有さず、無数の固定変速比線を描くことができる点を最大の特徴とする。そして、マニュアル変速マップＭ２での運転点（VSP,APO）のマップ位置とドライバによるシフト操作とに基づいて変速比制御を行う。
【００４６】
ここで、最低回転数線は、バリエータ４への入力回転数（＝プライマリ回転数Npri＝エンジン回転数Ne）として、エンジンストールを防止するために維持しておく必要がある最低回転数を規定する回転数線である。このため、マニュアル変速マップＭ２にて運転点（VSP,APO）が最低回転数線に移行すると、フレキシブルマニュアル変速制御部８０３は、車速VSPの変化に応じたバリエータ４の無段変速制御により入力回転数の最低回転数を維持する。
【００４７】
マニュアル変速マップＭ２のアップシフト上限回転数線は、ドライバ操作によるシフトアップ要求があったとき、バリエータ４の最大入力回転数を規定する回転数線である。マニュアル変速マップＭ２のダウンシフト上限回転数線は、ドライバ操作によるシフトダウン要求があったとき、バリエータ４の最大入力回転数を規定する回転数線である。このため、フレキシブルマニュアル変速制御部８０３によるアップシフト制御での上限回転数は、アップシフト上限回転数により制限され、ダウンシフト制御での上限回転数は、ダウンシフト上限回転数により制限される。そして、アップシフト/ダウンシフトが頻繁に繰り返されるのを防止するビジーシフト対策のため、アップシフト上限回転数線を、ダウンシフト上限回転数線より高い変速機入力回転数域に設定するという回転数ヒステリシスを持たせている。
【００４８】
例えば、「マニュアル変速モード」の選択中に図４の運転点Ａにてアクセル足離し操作をしたとき、運転点Ａにより決まる固定変速比線に沿ってコースト減速し、コースト減速によって図４の運転点Ｂにて最低回転数線に到達したとする。この場合、運転点Ｂからは最低回転数を維持するように固定変速比制御からダウンシフト方向の無段変速制御へと移行する。そして、無段変速中の運転点Ｃにてアクセル踏み込み操作が行われたら、アクセル踏み込み操作時点の変速比（運転点Ｃにより決まる固定変速比）を維持する制御が実行される。
【００４９】
即ち、最低回転数を維持する無段変速中にアクセル踏み込み操作が行われたら、無段変速制御からアクセル踏み込み操作タイミングでの運転点（VSP,APO）により決まる固定変速比制御へ移行する。言い換えると、アクセル踏み込み操作タイミングでの運転点（VSP,APO）がどの位置であろうと、運転点（VSP,APO）とゼロ運転点を通る固定変速比線が描かれることになる。同様に、「マニュアル変速モード」の選択中におけるアップシフト時においては、入力回転数が所定のアップシフト量だけ低下したときのアップシフト終了時点の運転点（VSP,APO）とゼロ運転点を通る固定変速比線が描かれる。また、「マニュアル変速モード」の選択中におけるダウンシフト時においては、入力回転数が所定のダウンシフト量だけ上昇したときのダウンシフト終了時点の運転点（VSP,APO）とゼロ運転点を通る固定変速比線が描かれる。
【００５０】
フレキシブルマニュアル変速制御部８０３は、コースト走行中にドライバによるシフトダウン要求操作がある場合、１回目のシフトダウン要求操作によるダウンシフトで上昇させる入力回転数の回転段差ΔＮCD_1を、２回目以降のシフトダウン要求操作による回転段差ΔＮCD_2、ΔＮCD_3、…より大きく設定する。つまり、ΔＮCD_1＞ΔＮCD_2、ΔＮCD_3、…という大小関係による設定とする。
【００５１】
フレキシブルマニュアル変速制御部８０３は、１回目のシフトダウン要求操作によるダウンシフトで上昇させる入力回転数の回転段差ΔＮCD_1を、ドライバのエンブレ要求に基づき、車両減速へ向かうエンブレを与えるダウンシフト量の値に設定する。なお、「エンブレ」とは、「エンジンブレーキ」を略称である。
【００５２】
フレキシブルマニュアル変速制御部８０３は、２回目以降のシフトダウン要求操作によるダウンシフトで上昇させる入力回転数の回転段差ΔＮCD_2、ΔＮCD_3、…を、ドライバによるシフトダウン操作感要求に基づき、エンブレを微調整するダウンシフト量の値に設定する。
【００５３】
フレキシブルマニュアル変速制御部８０３は、「無段変速モード」の選択によるコースト走行シーンにおいて、「無段変速モード」から「マニュアル変速モード」へのドライバによるセレクト操作があると、セレクト操作を１回目のシフトダウン要求操作とみなす。
【００５４】
フレキシブルマニュアル変速制御部８０３は、「マニュアル変速モード」の選択によるコースト走行シーンにおいて、コースト走行開始からドライバによる最初のシフトダウン操作があると、最初のシフトダウン操作を１回目のシフトダウン要求操作とみなす。つまり、フレキシブルマニュアル変速制御部８０３は、「無段変速モード」を選択している状態でドライブ走行からコースト走行に移行した後、「無段変速モード」から「マニュアル変速モード」へのドライバによるセレクト操作があると、このセレクト操作を１回目のシフトダウン要求操作とみなし、また、「マニュアル変速モード」を選択している状態でドライブ走行からコースト走行に移行した後に、ドライバによる最初のシフトダウン操作があると、この最初のシフトダウン操作を１回目のシフトダウン要求操作とみなす。これら１回目のシフトダウン要求操作の後に、コースト走行状態を維持したままドライバによるシフトダウン操作があると、それを２回目のシフトダウン要求操作とみなす。以後、「マニュアル変速モード」から「無段変速モード」へのドライバによるセレクト操作が行われたり、又は、ドライバによるアクセルの踏み込み操作が行われてコースト走行からドライブ走行に移行したりした場合は、シフトダウン要求操作のカウントはリセットされる。
【００５５】
フレキシブルマニュアル変速制御部８０３は、ドライバによるシフトダウン要求操作に基づくダウンシフトが終了すると、ダウンシフト終了時点における運転点（VSP,APO）のマップ位置で決まる変速比を維持する。
【００５６】
［フレキシブルマニュアル変速制御処理構成］
図５は、変速コントローラ８００のフレキシブルマニュアル変速制御部８０３においてコースト走行状態でドライバのシフトダウン要求操作があるときに実行されるフレキシブルマニュアル変速制御処理の流れを示す。以下、図５の各ステップについて説明する。なお、図５のフレキシブルマニュアル変速制御処理は、所定の制御周期で繰り返し実行される。
【００５７】
ステップＳ１では、スタートに続いて、走行中、ドライバがアクセル足離し操作を行ったか否かを判断する。YES（アクセルOFF）の場合はステップＳ２へ進み、NO（アクセルON）の場合はステップＳ１２へ進む。ここで、ドライバのアクセル足離し操作は、アクセル開度センサ９０からのアクセル開度センサ値が、アクセル開度＝０を示す値であることで判断する。
【００５８】
ステップＳ２では、Ｓ１でのアクセルOFFであるとの判断に続き、アクセルOFFの継続時間を測定するタイマをカウントアップし、ステップＳ３へ進む。
【００５９】
ステップＳ３では、Ｓ２でのタイマカウントアップに続き、カウントアップ後のタイマ値が所定値以上であるか否かを判断する。YES（タイマ値≧所定値）の場合はステップＳ４へ進み、NO（タイマ値＜所定値）の場合はエンドへ進む。ここで、「所定値」は、アクセルOFFの継続時間によりドライバのアクセル足離し操作によるコースト走行を判定するコースト判定閾値である。
【００６０】
ステップＳ４では、Ｓ３でのタイマ値≧所定値であるとの判断に続き、１回目のシフトダウン要求操作であるか否かを判断する。YES（１回目のシフトダウン要求操作である）の場合はステップＳ５へ進み、NO（１回目のシフトダウン要求操作でない）の場合はステップＳ６へ進む。
【００６１】
ここで、「無段変速モード」の選択によるコースト走行シーンにおいて、「無段変速モード」から「マニュアル変速モード」へのドライバによるセレクト操作があると、セレクト操作を１回目のシフトダウン要求操作とみなす。又は、「マニュアル変速モード」の選択によるコースト走行シーンにおいて、コースト走行開始からドライバによる最初のシフトダウン操作があると、最初のシフトダウン操作を１回目のシフトダウン要求操作とみなす。つまり、ステップＳ４では、Ｄ→Ｍセレクト、又は、シフトダウン操作の1回目かどうかを判断する。
【００６２】
ステップＳ５では、Ｓ４での１回目のシフトダウン要求操作であるとの判断に続き、初回は減速のためのエンブレ要求動作とみなし、回転段差ΔＮCD_1により大きくダウンシフトさせ、ステップＳ９へ進む。
【００６３】
ここで、「回転段差ΔＮCD_1」は、１回目のシフトダウン要求操作によるダウンシフトで上昇させる入力回転数の回転段差であり、ドライバのエンブレ要求に基づき、車両減速へ向かうエンブレを与えるダウンシフト量の値に設定する。即ち、「回転段差ΔＮCD_1」を可変値により与えるときは、エンブレ減速感の変動要因（例えば、バリエータ４の変速比、車速VSP、降坂路勾配、等）にかかわらず、車両減速へ向かうエンブレを与えるダウンシフト量の値を計算する。このため、バリエータ４の変速比が高いほど大きな値を計算することになる。車速VSPが高いほど大きな値を計算することになる。降坂路勾配が大きいほど大きな値を計算することになる。なお、「回転段差ΔＮCD_1」は、多数の実験データに基づき予め設定した固定値で与えても良く、この場合、ドライバのエンブレ要求を満足する値であって、「回転段差ΔＮCD_2、回転段差ΔＮCD_3、…」より高い値に設定する。
【００６４】
ステップＳ６では、Ｓ４での１回目のシフトダウン要求操作でないとの判断に続き、「マニュアル変速モード」が選択されているか否かを判断する。YES（「マニュアル変速モード」の選択）の場合はステップＳ７へ進み、NO（「無段変速モード」の選択）の場合はステップＳ１１へ進む。
【００６５】
ステップＳ７では、Ｓ６での「マニュアル変速モード」の選択であるとの判断に続き、２回目以降のシフトダウン操作があったか否かを判断する。YES（２回目以降のシフトダウン操作有り）の場合はステップＳ８へ進み、NO（２回目以降のシフトダウン操作無し）の場合はエンドへ進む。
【００６６】
ステップＳ８では、Ｓ７での２回目以降のシフトダウン操作有りとの判断に続き、２回目以降はシフトダウンの操作を楽しむ、又は、エンブレ微調整のための動作とみなし、1回目より小さな回転段差ΔＮCD_2、回転段差ΔＮCD_3、…によりダウンシフトさせ、ステップＳ９へ進む。
【００６７】
ここで、「回転段差ΔＮCD_2、回転段差ΔＮCD_3、…」は、２回目以降のシフトダウン要求操作によるダウンシフトで上昇させる入力回転数の回転段差であり、ドライバによるシフトダウン操作感要求に基づき、エンブレを微調整するダウンシフト量の値に設定する。即ち、「回転段差ΔＮCD_2、回転段差ΔＮCD_3、…」を、多数の実験データに基づき予め設定した固定値により与えるときは、ドライバによるシフトダウン操作感要求を満足する値であって、「回転段差ΔＮCD_1」より低い値に設定する。なお、「回転段差ΔＮCD_2、回転段差ΔＮCD_3、…」は、「回転段差ΔＮCD_1」と同様に、可変値で与えても良く、この場合、エンブレ減速感の変動要因（例えば、バリエータ４の変速比、車速VSP、降坂路勾配、等）にかかわらず、エンブレを微調整するダウンシフト量の値を計算する。
【００６８】
ステップＳ９では、Ｓ５又はＳ８での「マニュアル変速モード」でのダウンシフト制御の実行に続き、プライマリ回転数Npriが、そのときの目標回転段差までの回転数上昇終点に到達したか否かを判断する。YES（回転数上昇終点に到達）の場合はステップＳ１０へ進み、NO（回転数上昇終点に未到達）の場合はステップＳ９の判断を繰り返す。
【００６９】
ステップＳ１０では、Ｓ９での回転数上昇終点に到達との判断に続き、ゼロ運転点と回転数上昇終点の運転点（VSP,APO）とを繋ぐ直線で決まる固定変速比を目標変速比とし、目標変速比を維持するバリエータ４の固定変速比制御を実行し、エンドへ進む。
【００７０】
ステップＳ１１では、Ｓ６での「無段変速モード」の選択であるとの判断に続き、ダウン操作回数カウンタのカウンタ値をリセットし、エンドへ進む。
【００７１】
ステップＳ１２では、Ｓ１でのアクセルONであるとの判断に続き、アクセルOFFの継続時間を測定するタイマをゼロクリア（リセット）し、ステップＳ１１へ進む。
【００７２】
次に、「背景技術と課題解決対策」を説明する。そして、実施例１の作用を、「フレキシブルマニュアル変速制御処理作用」、「コースト走行中の減速ダウンシフト作用」を説明する。
【００７３】
［背景技術と課題解決対策］
背景技術の「マニュアル変速モード」において用いられるマニュアル有段変速マップは、例えば、図６に示すように、固定変速比線による複数のマニュアル変速段（例えば、Ｍ１速段〜Ｍ５速段）を有する変速マップを用いる。そして、ドライバのシフト操作（レバー操作やスイッチ操作など）によりシフトアップ要求があると、その時に選択されているマニュアル変速段から1つの上のマニュアル変速段を選択する。また、ドライバのシフト操作によりシフトダウン要求があると、その時に選択されているマニュアル変速段から1つの下のマニュアル変速段を選択する。
【００７４】
例えば、Ｍ２速段が選択されていて運転点がＤ点であるとき、シフトアップ要求のドライバ操作があると、運転点がＤ点からＥ点へと移行してＭ３速段が選択される。一方、Ｍ４速段が選択されていて運転点がＦ点であるとき、シフトダウン要求のドライバ操作があると、運転点がＦ点からＧ点へと移行してＭ３速段が選択される。
【００７５】
この背景技術において、図７に示すように、「マニュアル変速モード」でのコースト減速走行中にドライバがエンブレ減速を狙ってシフトダウン操作を行った場合を例にとる。「マニュアル変速モード」であってＭ５速段を選択しての走行中に図７の運転点Ｊ１にてアクセル足離し操作をしたとき、Ｍ５速段の固定変速比線に沿ってコースト減速し、コースト減速によって図７の運転点Ｊ２にて最低回転数線に到達したとする。この場合、運転点Ｊ２からは最低回転数を維持するように固定変速比制御からダウンシフト方向の無段変速制御へと移行する。そして、無段変速中の運転点Ｊ３にて1回目のシフトダウン操作を行うと、Ｍ４速段の固定変速比線に向かって目標プライマリ回転数Npri*が上昇して運転点Ｊ４に到達する。
【００７６】
運転点Ｊ４からはＭ４速段の固定変速比線に沿って減速し、減速途中のＪ５にて２回目のシフトダウン操作を行うと、Ｍ３速段の固定変速比線に向かって目標プライマリ回転数Npri*が上昇して運転点Ｊ６に到達する。運転点Ｊ４からはＭ４速段の固定変速比線に沿って減速し、減速途中のＪ５にて２回目のシフトダウン操作を行うと、Ｍ３速段の固定変速比線に向かって目標プライマリ回転数Npri*が上昇して運転点Ｊ６に到達する。運転点Ｊ６からはＭ３速段の固定変速比線に沿って減速し、減速途中のＪ７にて３回目のシフトダウン操作を行うと、Ｍ２速段の固定変速比線に向かって目標プライマリ回転数Npri*が上昇して運転点Ｊ８に到達する。運転点Ｊ８からはＭ２速段の固定変速比線に沿って減速し、減速途中のＪ９にて４回目のシフトダウン操作を行うと、Ｍ１速段の固定変速比線に向かって目標プライマリ回転数Npri*が上昇して運転点Ｊ１０に到達する。そして、運転点Ｊ１０からはＭ１速段（最Low変速段）の固定変速比線に沿って減速する。
【００７７】
このように、背景技術においては、「マニュアル変速モード」の選択中のコースト走行において、ドライバによるシフトダウン操作があると、予め設定されている固定変速比線による回転段差をダウンシフト量とし、変速機の入力回転数を上昇させるダウンシフトが実行される。このとき、固定変速比線の間隔を等変速比幅に設定すると、Ｍ５速段からＭ４速段へのダウンシフトにおける回転段差が最も小さくなり、Ｍ２速段からＭ１速段へのダウンシフトにおける回転段差が最も大きくなる。つまり、ドライバによるシフトダウン操作の回数を重ねる毎に回転段差が大きくなる。
【００７８】
このため、このため、１回目のシフトダウン操作に対するダウンシフトで所望の減速感が得られないと、ドライバは所望の減速感が得られるまでシフトダウン操作を何度も繰り返して行う必要がある（図７の例では４回）。また、図７の例において、３回目のシフトダウン操作により所望する減速感より少し減速感が不足するとき、４回目のシフトダウン操作を行うと逆に減速過剰になってしまうことがある。このように、コースト走行シーンにおいて、１回目のシフトダウン操作では所望のエンブレ減速感が得られないし、シフトダウン操作を連続すると減速過剰になるというように、ドライバのシフトダウン操作に対する減速度のコントロール性が低くなる、という課題があった。
【００７９】
本発明者等は、上記課題を解決するため、コースト減速中の１回目のシフトダウン要求操作は、エンブレを要求するドライバ動作とみなすことができる。一方、２回目以降のシフトダウン要求操作は、シフトダウン操作感やエンブレ微調整を要求するドライバ動作とみなすことができる点に着目した。この着目に基づいて、ベルト式無段変速機ＣＶＴの変速制御装置は、エンジン１から駆動輪６までの駆動系にバリエータ４を搭載し、バリエータ４の変速比を制御する変速コントローラ８００を備える。変速コントローラ８００は、「マニュアル変速モード」を選択すると、固定変速比線を有しないマニュアル変速マップＭ２を用い、運転点（VSP,APO）のマップ位置とドライバによるシフト要求操作とに基づいて変速比制御を行うフレキシブルマニュアル変速制御部８０３を有する。フレキシブルマニュアル変速制御部８０３は、コースト走行中にドライバによるシフトダウン要求操作がある場合、１回目のシフトダウン要求操作によるダウンシフトで上昇させる入力回転数の回転段差ΔＮCD_1を、２回目以降のシフトダウン要求操作による回転段差ΔＮCD_2、ΔＮCD_3、…より大きく設定する課題解決対策を採用した。
【００８０】
即ち、「マニュアル変速モード」の選択時に固定変速比線を有しないマニュアル変速マップＭ２を用いる場合、固定変速比線に拘束されることなく、ダウンシフトで上昇させる入力回転数の回転段差を柔軟に設定できる。フレキシブルマニュアル変速制御部８０３では、この回転段差を設定する際の柔軟性を活用し、コースト走行中にドライバによるシフトダウン要求操作に対する回転段差を、１回目のシフトダウン要求操作時と２回目以降とで異ならせて設定している。そして、コースト減速中の１回目のシフトダウン要求操作は、エンブレを要求するドライバ動作とみなすことができる点に着目し、１回目シフトダウンでの回転段差ΔＮCD_1を２回目以降のシフトダウンでの回転段差より大きく設定している。一方、２回目以降のシフトダウン要求操作は、シフトダウン操作感やエンブレ微調整を要求するドライバ動作とみなすことができる点に着目し、２回目以降のシフトダウンでの回転段差ΔＮCD_2、ΔＮCD_3、…を１回目シフトダウンでの回転段差ΔＮCD_1より小さく設定している。
【００８１】
よって、１回目のシフトダウン要求操作に対するダウンシフトでは、２回目以降のシフトダウン要求操作による回転段差ΔＮCD_2、ΔＮCD_3、…より大きく設定した回転段差ΔＮCD_1により、所望のエンブレ減速感を得ることができる。この結果、背景技術のように、ドライバは所望の減速感になるまでシフトダウン操作を何度も繰り返して行う必要がない。
【００８２】
２回目以降のシフトダウン要求操作に対するダウンシフトでは、１回目の回転段差ΔＮCD_1により小さく設定した回転段差ΔＮCD_2、ΔＮCD_3、…により、１回目のダウンシフトで不足するエンブレの微調整を行うことができる。この結果、背景技術のように、繰り返し行われるシフトダウン操作により減速過剰になってしまうことが解消される。
【００８３】
このように、コースト走行シーンにおいて、１回目のシフトダウン要求操作で所望のエンブレ減速感が得られるし、シフトダウン要求操作を連続して行っても減速過剰になることはない。このため、コースト走行シーンにおいて、ドライバのシフトダウン要求操作に対する減速度のコントロール性の向上を図ることができる。
【００８４】
［フレキシブルマニュアル変速制御処理作用］
フレキシブルマニュアル変速制御部８０３において、コースト走行状態でドライバのシフトダウン要求操作があるときに実行されるフレキシブルマニュアル変速制御処理作用を、図５に示すフローチャートに基づいて説明する。
【００８５】
まず、アクセル踏み込み操作によるドライブ走行中、ドライバがアクセル足離し操作を行っているが、アクセル足離し操作開始からの継続時間をあらわすタイマ値が所定値未満の間は、Ｓ１→Ｓ２→Ｓ３→エンドへと進む。
【００８６】
アクセル足離し操作開始からの継続時間をあらわすタイマ値が所定値以上になると、Ｓ１→Ｓ２→Ｓ３→Ｓ４へと進む。Ｓ４では、１回目のシフトダウン要求操作であるか否かが判断される。そして、１回目のシフトダウン要求操作でないと判断され、かつ、「マニュアル変速モード」の選択ではないと判断されている間は、Ｓ４からＳ６→Ｓ１１→エンドへと進む。また、１回目のシフトダウン要求操作でないと判断され、かつ、２回目以降のシフトダウン要求操作でないと判断されている間は、Ｓ４からＳ６→Ｓ７→エンドへと進む。
【００８７】
Ｓ４にて１回目のシフトダウン要求操作であると判断されると、Ｓ４からＳ５→Ｓ９へ進む。Ｓ５では、初回は減速のためのエンブレ要求動作とみなし、そのときのプライマリ回転数Npriに回転段差ΔＮCD_1を加算した回転数まで一気に上昇させ、強調した有段ダウンシフト感を演出する「マニュアル変速モード」での１回目のダウンシフト制御が実行される。Ｓ９では、プライマリ回転数Npriが、回転段差ΔＮCD_1による回転数上昇終点に到達したか否かが判断される。
【００８８】
Ｓ９にて回転数上昇終点に到達したと判断されると、Ｓ９からＳ１０→エンドへ進む。Ｓ１０では、ゼロ運転点と回転数上昇終点の運転点（VSP,APO）とを繋ぐ直線で決まる固定変速比が目標変速比とされ、目標変速比を維持するバリエータ４の固定変速比制御が実行される。
【００８９】
一方、１回目のダウンシフト制御が実行された後であって、２回目以降のシフトダウン操作が行われない間は、Ｓ１→Ｓ２→Ｓ３→Ｓ４→Ｓ６→Ｓ７→エンドへと進む流れが繰り返される。その後、２回目のシフトダウン操作が行われると、Ｓ７からＳ８→Ｓ９へ進む。Ｓ８では、２回目以降はシフトダウンの操作を楽しむ、又は、エンブレ微調整のための動作とみなし、そのときのプライマリ回転数Npriに回転段差ΔＮCD_2（＜ΔＮCD_1）を加算した回転数まで上昇させ、有段ダウンシフト感を演出する「マニュアル変速モード」での２回目のダウンシフト制御が実行される。Ｓ９では、プライマリ回転数Npriが、回転段差ΔＮCD_2による回転数上昇終点に到達したか否かが判断される。
【００９０】
Ｓ９にて回転数上昇終点に到達したと判断されると、Ｓ９からＳ１０→エンドへ進む。Ｓ１０では、ゼロ運転点と回転数上昇終点の運転点（VSP,APO）とを繋ぐ直線で決まる固定変速比が目標変速比とされ、目標変速比を維持するバリエータ４の固定変速比制御が実行される。
【００９１】
３回目のシフトダウン操作が行われると、Ｓ７からＳ８→Ｓ９へ進む。Ｓ８では、そのときのプライマリ回転数Npriに回転段差ΔＮCD_3（＜ΔＮCD_1）を加算した回転数まで上昇させ、有段ダウンシフト感を演出する「マニュアル変速モード」での３回目のダウンシフト制御が実行される。Ｓ９では、プライマリ回転数Npriが、回転段差ΔＮCD_3による回転数上昇終点に到達したか否かが判断される。Ｓ９にて回転数上昇終点に到達したと判断されると、Ｓ９からＳ１０→エンドへ進む。Ｓ１０では、ゼロ運転点と回転数上昇終点の運転点（VSP,APO）とを繋ぐ直線で決まる固定変速比が目標変速比とされ、目標変速比を維持するバリエータ４の固定変速比制御が実行される。
【００９２】
なお、４回目以降のシフトダウン操作が行われた場合、２回目や３回目のシフトダウン操作が行われた場合と同様に、そのときのプライマリ回転数Npriに回転段差ΔＮCD_4、…（＜ΔＮCD_1）を加算した回転数まで上昇させるダウンシフト制御が実行される。
【００９３】
このように、コースト走行状態でドライバのシフトダウン要求操作があるときに実行されるフレキシブルマニュアル変速制御は、下記に記載する特徴を有する。
・コースト走行中にドライバによるシフトダウン要求操作がある場合、１回目のシフトダウン要求操作によるダウンシフトで上昇させる入力回転数の回転段差ΔＮCD_1が、２回目以降の回転段差ΔＮCD_2、ΔＮCD_3、…より大きく設定される。
・１回目のシフトダウン要求操作によるダウンシフトで上昇させる入力回転数の回転段差ΔＮCD_1は、ドライバのエンブレ要求に基づき、車両減速へ向かうエンブレを与えるダウンシフト量の値に設定される。
・２回目以降のシフトダウン要求操作によるダウンシフトで上昇させる入力回転数の回転段差ΔＮCD_2、ΔＮCD_3、…は、ドライバによるシフトダウン操作感要求に基づき、エンブレを微調整するダウンシフト量の値に設定される。
・「無段変速モード」の選択によるコースト走行シーンにおいて、「無段変速モード」から「マニュアル変速モード」へのドライバによるセレクト操作があると、セレクト操作が１回目のシフトダウン要求操作とみなされる。
・「マニュアル変速モード」の選択によるコースト走行シーンにおいて、コースト走行開始からドライバによる最初のシフトダウン操作があると、最初のシフトダウン操作が１回目のシフトダウン要求操作とみなされる。
・ドライバによるシフトダウン要求操作に基づくダウンシフトが終了すると、ダウンシフト終了時点における運転点（VSP,APO）のマップ位置で決まる変速比が維持される。
【００９４】
［コースト走行中の減速ダウンシフト作用］
「無段変速モード」でのコースト走行中に「マニュアル変速モード」へのセレクト操作と２回のシフトダウン操作を行ったときの減速ダウンシフト作用を、図８及び図９に基づいて説明する。
【００９５】
図８の時刻０から時刻t1までの区間は、車速VSPと目標プライマリ回転数Npri*を保ちながら走行しているアクセル踏み込みによるドライブ走行区間である。ドライブ走行区間（０〜t1）は、図９における運転点Ｈ０に対応する。
【００９６】
図８の時刻t1は、車速VSPを保ちながら目標プライマリ回転数Npri*を最低回転数まで低下させるアクセル足離し操作時刻である。アクセル足離し操作時刻t1は、図９における運転点Ｈ０から運転点Ｈ１までの移動に対応する。
【００９７】
図８の時刻t1から時刻t3までの区間は、バリエータ４の無段変速により目標プライマリ回転数Npri*を最低回転数に保ちながらコースト減速走行しているコースト減速走行区間である。コースト減速走行区間（t1〜t3）は、図９における運転点Ｈ１から運転点Ｈ２までの移動に対応する。なお、コースト減速走行区間（t1〜t3）の途中の時刻t2は、アクセル足離し操作時刻t1からアクセル足離し状態が所定時間継続したことによるコースト判定時刻である。
【００９８】
図８の時刻t3は、「無段変速モード」から「マニュアル変速モード」へのセレクト操作時刻であると共に、最低回転数による目標プライマリ回転数Npri*を、回転段差ΔＮCD_1のダウンシフト量により上昇させる１回目マニュアルダウンシフト時刻である。この１回目マニュアルダウンシフト時刻t3は、図９における運転点Ｈ２から運転点Ｈ３までの移動に対応する。なお、固定変速比線α１は、図９の１回目マニュアルダウンシフト開始時運転点Ｈ２とゼロ運転点を結ぶ線である。
【００９９】
図８の時刻t3から時刻t4までの区間は、１回目マニュアルダウンシフト終了後、バリエータ４の変速比をダウンシフト終了時変速比に保ちながらコースト減速走行しているコースト減速走行区間である。コースト減速走行区間（t3〜t4）は、図９における運転点Ｈ３から運転点Ｈ４までの移動に対応し、固定変速比線α２は、図９のダウンシフト終了時運転点Ｈ３とゼロ運転点を結ぶ線である。
【０１００】
図８の時刻t4は、「マニュアル変速モード」でのドライバによるシフトダウン操作時刻であると共に、そのときのプライマリ回転数Npri*を、回転段差ΔＮCD_2のダウンシフト量により上昇させる２回目マニュアルダウンシフト時刻である。２回目マニュアルダウンシフト時刻t3は、図９における運転点Ｈ４から運転点Ｈ５までの移動に対応する。
【０１０１】
図８の時刻t4から時刻t5までの区間は、２回目マニュアルダウンシフト終了後、バリエータ４の変速比をダウンシフト終了時変速比に保ちながらコースト減速走行しているコースト減速走行区間である。コースト減速走行区間（t4〜t5）は、図９における運転点Ｈ５から運転点Ｈ６までの移動に対応し、固定変速比線α３は、図９のダウンシフト終了時運転点Ｈ５とゼロ運転点を結ぶ線である。
【０１０２】
図８の時刻t5は、「マニュアル変速モード」でのドライバによるシフトダウン操作時刻であると共に、そのときのプライマリ回転数Npri*を、回転段差ΔＮCD_3のダウンシフト量により上昇させる３回目マニュアルダウンシフト時刻である。３回目マニュアルダウンシフト時刻t5は、図９における運転点Ｈ６から運転点Ｈ７までの移動に対応する。
【０１０３】
図８の時刻t5以降の区間は、３回目マニュアルダウンシフト終了後、バリエータ４の変速比をダウンシフト終了時変速比に保ちながらコースト減速走行しているコースト減速走行区間である。コースト減速走行区間（t5〜）は、図９における運転点Ｈ７から固定変速比線α４に沿った移動に対応し、固定変速比線α４は、図９のダウンシフト終了時運転点Ｈ７とゼロ運転点を結ぶ線である。
【０１０４】
このように、「無段変速モード」の選択によるコースト走行シーンにおいて、時刻t3にて「無段変速モード」から「マニュアル変速モード」へのドライバによるセレクト操作があると、セレクト操作が１回目のシフトダウン要求操作とみなしている。そして、１回目のシフトダウン要求操作によるダウンシフトで上昇させる入力回転数の回転段差ΔＮCD_1を、ドライバのエンブレ要求に基づき、車両減速へ向かうエンブレを与えるダウンシフト量の値に設定している。つまり、回転段差ΔＮCD_1は、図９に示すように、固定変速比線α１から固定変速比線α２までの１回目ダウンシフトによる大きな変速比幅で得られる回転段差に設定している。
【０１０５】
よって、コースト減速中の１回目のシフトダウン要求操作に対し、エンジン回転数Neを回転段差ΔＮCD_1の幅で一気に上昇させてエンジン１の負荷抵抗を高くすることで、エンブレの効きを確保している。このため、１回目のシフトダウン要求操作に対し、確かなアクションと確かな反応による有段ダウンシフト感を演出することができる。
【０１０６】
セレクト操作後は、「マニュアル変速モード」でのドライバによるシフトダウン操作を２回目以降のシフトダウン要求操作とみなしている。そして、２回目以降のシフトダウン要求操作によるダウンシフトで上昇させる入力回転数の回転段差ΔＮCD_2、ΔＮCD_3、…を、ドライバによるシフトダウン操作感要求に基づき、エンブレを微調整するダウンシフト量の値に設定している。つまり、回転段差ΔＮCD_2は、図９に示すように、固定変速比線α２から固定変速比線α３までの１回目のダウンシフトよりも狭くした変速比幅で得られる回転段差に設定している。回転段差ΔＮCD_3は、図９に示すように、固定変速比線α３から固定変速比線α４までの１回目のダウンシフトよりも狭くした変速比幅で得られる回転段差に設定している。
【０１０７】
よって、１回目シフトダウンによりコースト減速感が得られているコースト減速中、２回目以降のシフトダウン要求操作に対し、エンジン回転数Neを回転段差ΔＮCD_2や回転段差ΔＮCD_3の幅で上昇させてエンジン１の負荷抵抗を少し高くすることで、エンブレの微調整量を確保している。このため、シフトダウン要求操作毎に生じるエンブレ微調整により、有段ダウンシフト感の演出が１回目のシフトダウン要求操作よりも抑えられ、ドライバのシフトダウン操作感要求に応えることができる。
【０１０８】
加えて、ドライバによるシフトダウン要求操作に対して１回目と２回目以降でダウンシフト量を異ならせることで、操作回数によりドライバの意図に合致する減速コントロールができ、運転の楽しみが増すというドライブ感覚をも享受できる。
【０１０９】
以上説明してきたように、実施例１のベルト式無段変速機ＣＶＴの変速制御装置にあっては、下記に列挙する効果が得られる。
【０１１０】
(1) 走行用駆動源（エンジン１）から駆動輪６までの駆動系にバリエータ４を搭載し、バリエータ４の変速比を制御する変速コントローラ８００を備える無段変速機（ベルト式無段変速機ＣＶＴ）の変速制御装置において、
変速コントローラ８００は、マニュアル変速モードを選択すると、予め設定された複数の固定変速比ではなく、ドライバによるシフト要求操作に基づいて、シフト要求操作時のバリエータ４の入力回転数に対し所定の回転段差を有する目標入力回転数に、バリエータ４の変速比を変速させる変速比制御を行うフレキシブルマニュアル変速制御部８０３を有し、
フレキシブルマニュアル変速制御部８０３は、コースト走行中にドライバによるシフトダウン要求操作がある場合、１回目のシフトダウン要求操作によるダウンシフトで上昇させる入力回転数の回転段差ΔＮCD_1を、２回目以降のシフトダウン要求操作による回転段差ΔＮCD_2、ΔＮCD_3、…より大きく設定する。
このため、コースト走行シーンにおいて、ドライバのシフトダウン要求操作に対する減速度のコントロール性の向上を図ることができる。
【０１１１】
(2) 走行用駆動源にエンジン１を有し、
フレキシブルマニュアル変速制御部８０３は、１回目のシフトダウン要求操作によるダウンシフトで上昇させる入力回転数の回転段差ΔＮCD_1を、ドライバのエンジンブレーキ要求に基づき、車両減速へ向かうエンジンブレーキを与えるダウンシフト量の値に設定する。
このため、ドライバによる１回目のシフトダウン要求操作を行うと、エンジンブレーキを効かせるダウンシフト量によるマニュアル変速の実行により、エンジンブレーキ要求に応える減速感をドライバに与えることができる。
【０１１２】
(3) フレキシブルマニュアル変速制御部８０３は、２回目以降のシフトダウン要求操作によるダウンシフトで上昇させる入力回転数の回転段差ΔＮCD_2、ΔＮCD_3、…を、ドライバのシフトダウン操作感要求に基づき、エンジンブレーキを微調整するダウンシフト量の値に設定する。
このため、ドライバによる２回目以降のシフトダウン要求操作を行うと、エンジンブレーキを微調整するダウンシフト量によるマニュアル変速の実行により、シフトダウン操作感要求に応える減速感をドライバに与えることができる。
【０１１３】
(4) フレキシブルマニュアル変速制御部８０３は、「無段変速モード」の選択によるコースト走行シーンにおいて、「無段変速モード」から「マニュアル変速モード」へのドライバによるセレクト操作があると、セレクト操作を１回目のシフトダウン要求操作とみなす。
このため、「無段変速モード」の選択によるコースト走行シーンにおいて、ドライバがダウンシフト減速を意図して「マニュアル変速モード」へのセレクト操作を行うと、ドライバが意図する減速感を得ることができる。
【０１１４】
(5) フレキシブルマニュアル変速制御部８０３は、「マニュアル変速モード」の選択によるコースト走行シーンにおいて、コースト走行開始からドライバによる最初のシフトダウン操作があると、最初のシフトダウン操作を１回目のシフトダウン要求操作とみなす。
このため、「マニュアル変速モード」の選択によるコースト走行シーンにおいて、ドライバがダウンシフト減速を意図してシフトダウン操作を行うと、ドライバが意図する減速感を得ることができる。
【０１１５】
(6) フレキシブルマニュアル変速制御部８０３は、ドライバによるシフトダウン要求操作に基づくダウンシフトが終了すると、ダウンシフト終了時点における運転点（VSP,APOのマップ位置で決まる変速比を維持する。
このため、マニュアルダウンシフトが終了すると、終了時の運転点（VSP,APO）を通る固定変速比線がマニュアル変速マップ（マニュアル変速マップＭ２）に引かれ、直ちに固定変速比を維持する制御へ移行することができる。
【０１１６】
以上、本発明の無段変速機の変速制御装置を実施例１に基づき説明してきた。しかし、具体的な構成については、この実施例１に限られるものではなく、特許請求の範囲の各請求項に係る発明の要旨を逸脱しない限り、設計の変更や追加などは許容される。
【０１１７】
実施例１では、変速モードとして、「無段変速モード」と「マニュアル変速モード」を有する例を示した。しかし、変速モードとしては、少なくとも「マニュアル変速モード」が含まれていれば、他の変速モードとして、「無段変速モード」をエコ変速モードとスポーツ変速モードなどに分けた例などであっても良い。
【０１１８】
実施例１では、本発明の変速制御装置を、トルクコンバータと前後進切替機構とバリエータと終減速機構により構成されるベルト式無段変速機を搭載したエンジン車に適用する例を示した。しかし、本発明の変速制御装置は、バリエータのみによるベルト式無段変速機に限らず、バリエータと副変速機が直列に連結される副変速機付きベルト式無段変速機を搭載した車両に適用しても良い。
【符号の説明】
【０１１９】
１  エンジン（走行用駆動源）
ＣＶＴ  ベルト式無段変速機（無段変速機）
２  トルクコンバータ
３  前後進切替機構
４  バリエータ
５  終減速機構
６  駆動輪
８  ＣＶＴコントロールユニット
８００  変速コントローラ
８０１  変速モード選択部
８０２  無段変速制御部
８０３  フレキシブルマニュアル変速制御部
８０４  ソレノイド指令出力部
８０  プライマリ回転センサ
８１  車速センサ
８４  インヒビタスイッチ
８７  変速モード選択スイッチ
８８  シフト操作スイッチ
９  エンジンコントロールユニット
９０  アクセル開度センサ
９１  エンジン回転センサ
Ｍ２  マニュアル変速マップ
【図１】
2020148311.tif 000003
【図２】
2020148311.tif 000004
【図３】
2020148311.tif 000005
【図４】
2020148311.tif 000006
【図５】
2020148311.tif 000007
【図６】
2020148311.tif 000008
【図７】
2020148311.tif 000009
【図８】
2020148311.tif 000010
【図９】
2020148311.tif 000011